(57)【要約】【課題】メニュー項目とサブメニュー項目との関係が直感的に明瞭となるように表示画面にメニュー項目及びサブメニュー項目を表示できるＧＵＩを実現するメニュー表示方法及び情報処理装置を提供する。【解決手段】情報処理装置は、メニュー項目であるアイコン２２，２２，…を直線状に間隔を隔てて表示画面２１に表示し、一のアイコン２２が指定された場合は、指定されたアイコン２２に隣接する位置に、指定されたアイコン２２に関連付けられた情報処理に対応するチャンネル項目２３又は番組項目２４等のサブメニュー項目を表示する。また情報処理装置は、複数のサブメニュー項目を、アイコン２２，２２，…が並ぶ方向とは交差するように並べて表示する。【選択図】図３
2007094531.tif 000002
【特許請求の範囲】
【請求項１】
情報処理装置にて、夫々に異なる情報処理を関連付けた複数のメニュー項目を、所定の直線に沿った方向に間隔を隔てて並べて表示画面に表示し、
使用者の操作によるいずれかのメニュー項目の指定を受け付け、
前記表示画面内で前記複数のメニュー項目の両側及び夫々の間にある非表示部分の内、指定を受け付けたメニュー項目の表示位置に隣接する部分に、前記メニュー項目に関連付けられた情報処理に対応するサブメニュー項目を、前記複数のメニュー項目に重畳しないように表示すること
を特徴とするメニュー表示方法。
【請求項２】
夫々に異なる情報処理を関連付けた複数のメニュー項目を、所定の直線に沿った方向に間隔を隔てて並べて表示画面に表示する手段と、
いずれかのメニュー項目の指定を受け付ける受付手段と、
前記表示画面内で前記複数のメニュー項目の両側及び夫々の間にある非表示部分の内、各メニュー項目の表示位置に隣接する部分を、各メニュー項目に関連付けられた情報処理に対応するサブメニュー項目の表示位置として定めた情報を記憶する手段と、
前記受付手段がいずれかのメニュー項目の指定を受け付けた場合に、指定を受け付けたメニュー項目に係る前記情報が定めた前記表示画面内の表示位置に、前記メニュー項目に関連付けられた情報処理に対応するサブメニュー項目を表示するサブメニュー表示手段と
を備えることを特徴とする情報処理装置。
【請求項３】
前記受付手段がいずれかのメニュー項目の指定を受け付けた場合に、前記非表示部分の内、前記サブメニュー表示手段がサブメニュー項目を表示する部分の前記直線に沿った長さが他の部分よりも長くなるように、前記複数のメニュー項目の表示位置を変更する手段を更に備えることを特徴とする請求項２に記載の情報処理装置。
【請求項４】
前記サブメニュー表示手段は、
前記受付手段が指定を受け付けたメニュー項目に関連付けられた複数の情報処理に対応する複数のサブメニュー項目を、前記直線に交差する方向に並べて前記表示画面に表示する手段を有すること
を特徴とする請求項２又は３に記載の情報処理装置。
【請求項５】
前記サブメニュー表示手段は、
前記受付手段が指定を受け付けたメニュー項目に関連付けられた複数の情報処理に対応する複数のサブメニュー項目を、該複数のサブメニュー項目の一部を互いに重ねた上で、前記直線に交差する方向に並べて前記表示画面に表示する手段を有すること
を特徴とする請求項２乃至４のいずれか一つに記載の情報処理装置。
【請求項６】
前記サブメニュー表示手段が前記表示画面に表示した前記複数のサブメニュー項目を、前記直線に交差する方向にスクロールする手段と、
前記複数のサブメニュー項目の内、前記表示画面内で前記直線上に位置するサブメニュー項目を強調する手段と
を更に備えることを特徴とする請求項４又は５に記載の情報処理装置。
【請求項７】
画像を記録する記録手段を更に備え、
前記サブメニュー表示手段は、
前記記録手段が記録する画像を出力する情報処理に対応するサブメニュー項目として、前記画像のサムネイルを表示する手段を有すること
を特徴とする請求項２乃至６のいずれか一つに記載の情報処理装置。
【発明の詳細な説明】
【技術分野】
【０００１】
本発明は、ＧＵＩを用いる情報処理装置で表示画面にメニュー項目とサブメニュー項目とを表示するメニュー表示方法、及び情報処理装置に関する。
【背景技術】
【０００２】
従来、パーソナルコンピュータ（ＰＣ）等の情報処理装置を使用者が操作する方法として、グラフィカルユーザインタフェース（ＧＵＩ）が用いられている。磁気テープ又は光ディスク等の記録媒体に記録している画像をテレビジョン受像機等で出力する画像出力装置も、ＧＵＩを用いる情報処理装置の一つである。ＧＵＩを用いた情報処理装置は、情報処理装置が実行可能な夫々の処理をアイコン又は文字等のメニュー項目で表したメニュー画面をディスプレイに表示する。使用者は、マウス又はカーソルキー等のポインティングデバイスを用いてメニュー画面内でいずれかのメニュー項目を指定し、情報処理装置は指定されたメニュー項目に対応する処理を実行する。
【０００３】
情報処理装置が実行可能な処理は多種類であって、全ての処理を含むメニュー画面をディスプレイに一度に表示することは困難であるので、メニュー画面は複数の階層から構成されているのが通常である。即ち、情報処理装置は、まず大まかな処理の内容を表したメニュー項目からなるメニュー画面を表示し、メニュー画面でいずれかのメニュー項目が指定された場合に、より細かく処理の内容を指定するためのサブメニュー項目を表示する。例えば画像出力装置で画像を出力する場合は、メニュー画面で画像の出力に対応するメニュー項目を指定すると、画像の一覧から出力すべき画像を選択するためのサブメニュー項目が表示される。サブメニュー項目の表示形態には、元のメニュー画面の表示をサブメニュー項目からなるサブメニュー画面の表示へ切り替える方法と、メニュー画面内にサブメニュー項目を重畳して表示する方法とがある。
【特許文献１】特開２００５−７１０９６号公報
【発明の開示】
【発明が解決しようとする課題】
【０００４】
しかしながら、ＧＵＩでメニュー画面の表示をサブメニュー画面の表示へ切り替える場合、サブメニュー画面の表示中に元のメニュー画面の内容を確認することはできない。従って、サブメニュー画面の表示中にサブメニュー項目と元のメニュー項目との関係が不明瞭になるという問題がある。またＧＵＩでメニュー画面内にサブメニュー項目を重畳して表示する場合であっても、メニュー項目との関係が直感的に明瞭になるようにサブメニュー項目を配置することが困難であるという問題がある。
【０００５】
本発明は、斯かる事情に鑑みてなされたものであって、その目的とするところは、メニュー項目とサブメニュー項目との関係が直感的に明瞭となるように表示画面にメニュー項目及びサブメニュー項目を表示できるＧＵＩを実現するメニュー表示方法、及び情報処理装置を提供することにある。
【課題を解決するための手段】
【０００６】
本発明に係るメニュー表示方法は、情報処理装置にて、夫々に異なる情報処理を関連付けた複数のメニュー項目を、所定の直線に沿った方向に間隔を隔てて並べて表示画面に表示し、使用者の操作によるいずれかのメニュー項目の指定を受け付け、前記表示画面内で前記複数のメニュー項目の両側及び夫々の間にある非表示部分の内、指定を受け付けたメニュー項目の表示位置に隣接する部分に、前記メニュー項目に関連付けられた情報処理に対応するサブメニュー項目を、前記複数のメニュー項目に重畳しないように表示することを特徴とする。
【０００７】
本発明に係る情報処理装置は、夫々に異なる情報処理を関連付けた複数のメニュー項目を、所定の直線に沿った方向に間隔を隔てて並べて表示画面に表示する手段と、いずれかのメニュー項目の指定を受け付ける受付手段と、前記表示画面内で前記複数のメニュー項目の両側及び夫々の間にある非表示部分の内、各メニュー項目の表示位置に隣接する部分を、各メニュー項目に関連付けられた情報処理に対応するサブメニュー項目の表示位置として定めた情報を記憶する手段と、前記受付手段がいずれかのメニュー項目の指定を受け付けた場合に、指定を受け付けたメニュー項目に係る前記情報が定めた前記表示画面内の表示位置に、前記メニュー項目に関連付けられた情報処理に対応するサブメニュー項目を表示するサブメニュー表示手段とを備えることを特徴とする。
【０００８】
本発明においては、ＧＵＩを用いる情報処理装置は、夫々に特定の情報処理を関連付けたアイコン等の複数のメニュー項目を直線状に並べて表示画面に表示し、ＧＵＩを用いた使用者の操作により一のメニュー項目が指定された場合に、複数のメニュー項目の両側又は夫々の間にある非表示部分の内で指定されたメニュー項目に隣接する表示画面内の部分に、指定されたメニュー項目に関連付けられた情報処理に対応するサブメニュー項目を表示する。これにより、全体のメニュー項目とサブメニュー項目とが同時に表示される。
【０００９】
本発明に係る情報処理装置は、前記受付手段がいずれかのメニュー項目の指定を受け付けた場合に、前記非表示部分の内、前記サブメニュー表示手段がサブメニュー項目を表示する部分の前記直線に沿った長さが他の部分よりも長くなるように、前記複数のメニュー項目の表示位置を変更する手段を更に備えることを特徴とする。
【００１０】
また本発明においては、情報処理装置は、サブメニュー項目を表示する際に、直線状に並べた複数のメニュー項目の表示位置を変更して、メニュー項目が並ぶ直線に沿った非表示部分の内でサブメニュー項目が表示される部分の長さを他の部分よりも長くする。これにより、指定されたメニュー項目に関連付けられた情報処理に対応するサブメニュー項目をメニュー項目に重畳しないように表示するための領域が確保される。
【００１１】
本発明に係る情報処理装置は、前記サブメニュー表示手段は、前記受付手段が指定を受け付けたメニュー項目に関連付けられた複数の情報処理に対応する複数のサブメニュー項目を、前記直線に交差する方向に並べて前記表示画面に表示する手段を有することを特徴とする。
【００１２】
また本発明においては、情報処理装置は、複数のメニュー項目が並ぶ直線の方向とは交差する方向に、複数のサブメニュー項目を並べて表示する。
【００１３】
本発明に係る情報処理装置は、前記サブメニュー表示手段は、前記受付手段が指定を受け付けたメニュー項目に関連付けられた複数の情報処理に対応する複数のサブメニュー項目を、該複数のサブメニュー項目の一部を互いに重ねた上で、前記直線に交差する方向に並べて前記表示画面に表示する手段を有することを特徴とする。
【００１４】
また本発明においては、情報処理装置は、複数のメニュー項目が並ぶ直線の方向とは交差する方向に、複数のサブメニュー項目を互いの一部を重ねた上で並べて表示する。
【００１５】
本発明に係る情報処理装置は、前記サブメニュー表示手段が前記表示画面に表示した前記複数のサブメニュー項目を、前記直線に交差する方向にスクロールする手段と、前記複数のサブメニュー項目の内、前記表示画面内で前記直線上に位置するサブメニュー項目を強調する手段とを更に備えることを特徴とする。
【００１６】
また本発明においては、情報処理装置は、複数のメニュー項目が並ぶ直線の方向とは交差する方向に並べて表示した複数のサブメニュー項目をスクロール可能とし、複数のメニュー項目が並ぶ直線上のサブメニュー項目を強調して表示する。
【００１７】
本発明に係る情報処理装置は、画像を記録する記録手段を更に備え、前記サブメニュー表示手段は、前記記録手段が記録する画像を出力する情報処理に対応するサブメニュー項目として、前記画像のサムネイルを表示する手段を有することを特徴とする。
【００１８】
更に本発明においては、記録した画像を出力する情報処理を実行可能な情報処理装置は、画像を出力する情報処理に対応するサブメニュー項目として、記録している画像のサムネイルを表示する。
【発明の効果】
【００１９】
本発明にあっては、全体のメニュー項目とサブメニュー項目とが表示画面内に同時に表示されるので、使用者はメニュー項目及びサブメニュー項目を同時に確認することができる。更に、指定されたメニュー項目に関連付けられた情報処理に対応するサブメニュー項目が、指定されたメニュー項目に隣接する位置に表示されるので、使用者は、選択すべきサブメニュー項目がいずれのメニュー項目に関係しているかを明瞭に認識することができる。
【００２０】
また本発明にあっては、指定されたメニュー項目に関連付けられた情報処理に対応するサブメニュー項目をメニュー項目に重ならないように表示するための領域が確保されるので、メニュー項目とサブメニュー項目との関係が明瞭になるようにメニュー項目とサブメニュー項目とを同時に表示することが可能となる。
【００２１】
また本発明にあっては、複数のメニュー項目の並ぶ方向と複数のサブメニュー項目の並ぶ方向とが互いに交差することにより、使用者は、表示画面に表示されるメニュー項目とサブメニュー項目とを見た目で直感的に互いに区別して認識することが可能となる。
【００２２】
また本発明にあっては、複数のサブメニュー項目を互いの一部を重ねた上で並べて表示することにより、情報処理装置が出力可能な画像の数が多い場合等、サブメニュー項目の数が多い場合でも、使用者は多くのサブメニュー項目を容易に確認することができる。
【００２３】
また本発明にあっては、メニュー項目が並ぶ直線上に位置したサブメニュー項目を強調しながら、メニュー項目が並ぶ直線とは交差する方向へ複数のサブメニュー項目をスクロールすることにより、使用者は、選択すべく強調されたサブメニュー項目の表示位置が変化せずに目視で確認しやすい状態で複数のサブメニュー項目の中から一のサブメニュー項目を選択することができる。
【００２４】
また本発明にあっては、サブメニュー項目として、情報処理装置が記録している画像のサムネイルを表示することにより、使用者は、情報処理装置が出力可能な画像を容易に確認して出力すべき画像を選択することができる等、本発明は優れた効果を奏する。
【発明を実施するための最良の形態】
【００２５】
以下本発明をその実施の形態を示す図面に基づき具体的に説明する。本実施の形態においては、本発明の情報処理装置がテレビジョン受像機に画像を出力させる画像出力装置である例を用いて本発明を説明する。
【００２６】
図１は、本発明の情報処理装置の一例である画像出力装置１の内部構成を示すブロック図である。本発明の情報処理装置である画像出力装置１は、テレビジョン受像機２に接続されており、テレビジョン受像機２に画像を表示させる処理を行う構成となっている。画像出力装置１は、画像出力装置１全体の動作を制御する制御部１１を備えている。制御部１１には、画像出力装置１が各種の処理を実行する際に必要な情報を記憶するＲＡＭ１２と、画像出力装置１を制御部１１が制御するための制御プログラムを記憶するＲＯＭ１３とが接続されている。また制御部１１には、使用者が操作するリモートコントローラ（リモコン）３から送信された信号を受信するリモコン受信部１４が接続されている。リモコン３には、使用者が操作するカーソルキーが設けられている。
【００２７】
また制御部１１には、画像信号及び音声信号の処理及び伝送を行う信号処理部１５が接続されている。制御部１１及び信号処理部１５には、地上波放送、衛星放送、有線放送、アナログ放送、デジタル放送等の各種の放送を受信するためのチューナ部１７が接続されている。チューナ部１７は、図示しない外部のアンテナ又は通信線に接続されており、このアンテナ又は通信線を介して各種の放送信号を受信する。信号処理部１５は、チューナ部１７が受信した放送信号をデコードして画像信号及び音声信号に変換する等の信号処理を行う。またチューナ部１７は、番組に対応する放送信号以外に、電子番組表（ＥＰＧ）データを受信することが可能であり、画像出力装置１は、受信したＥＰＧデータを利用した番組選択を行うことができる構成となっている。
【００２８】
また制御部１１及び信号処理部１５には、光ディスク又はメモリカード等の可搬型の記録媒体に対してデータの記録及び読み出しを行うドライブ部１８と、データを記録するハードディスクドライブ（ＨＤＤ）１９とが接続されている。信号処理部１５は、チューナ部１７が受信した放送信号を処理して記録用にエンコードし、制御部１１は、信号処理部１５がエンコードしたデータをドライブ部１８又はＨＤＤ１９に記録させることによって、放送された番組の画像を記録する処理を行うことができる。
【００２９】
また信号処理部１５には、外部へ画像信号及び音声信号を出力する出力部１６が接続されている。出力部１６は、ブラウン管ディスプレイ又は液晶ディスプレイ等を用いたテレビジョン受像機２に接続可能な構成となっている。信号処理部１５は、チューナー部１７が受信した放送信号又はドライブ部１８若しくはＨＤＤ１９が読み出したデータを処理し、出力部１６は、信号処理部１５がデータを処理した画像信号及び音声信号をテレビジョン受像機２へ出力する。テレビジョン受像機２は、画像出力装置１からの画像信号及び音声信号に基づき、画像を表示して音声を出力する。このようにして、画像出力装置１は、チューナ部１７を用いて放送を受信した番組の画像、ＨＤＤ１９で記録した番組の画像、又はドライブ部１８で記録媒体から読み出した画像を、テレビジョン受像機２で出力する処理を行う。ＨＤＤ１９は、本発明に係る記録手段として機能する。
【００３０】
次に、以上の構成でなる画像出力装置１が行う処理を説明する。画像出力装置１は、画像の表示又は録画等の情報処理を実行する際に、実行すべき情報処理を使用者の操作により選択するためのメニュー画面をテレビジョン受像機２に表示させる。図２は、テレビジョン受像機２が表示したメニュー画面の例を示す模式図である。図中に示す如く、画像出力装置１は、テレビジョン受像機２の表示画面２１内に、実行すべき情報処理を関連づけたアイコン（メニュー項目）２２，２２，…を表示させる。図２に示した例では、テレビジョン放送された番組の画像を表示する処理、ＥＰＧを用いて画像を表示すべき番組を選択する処理、ＨＤＤ１９で記録してある画像を再生する処理、及び光ディスクに記録された画像をドライブ部１８を用いて再生する処理の夫々を関連付けた、ＴＶ、番組表、ビデオ及び光ディスクのアイコン２２，２２，…が表示されている。アイコン２２，２２，…は、所定の直線に沿った方向に略均等間隔に並べて表示されている。なお、本発明に係るメニュー項目としては、アイコン以外に、処理の内容を示す文字の表示等を用いてもよい。
【００３１】
図２に示す如きメニュー画面を確認した使用者は、リモコン３を用いていずれかのアイコン２２を選択する。このとき、使用者はリモコン３に設けられたカーソルキーを操作し、リモコン３は操作に応じた信号を送信し、リモコン受信部１４はリモコン３からの信号を受信する。制御部１１は、リモコン３からの信号に応じて、表示画面２１内にカーソルを表示させるか、又は一のアイコン２２の色を他とは別の色にする等により、使用者によるリモコン３の操作に応じて表示画面２１内の一のアイコン２２を選択する処理を行う。一のアイコン２２が選択された状態で、例えば使用者がリモコン３に設けられた決定キーを操作し、リモコン３は操作に応じた信号を送信し、リモコン受信部１４が信号を受信して画像出力装置１はアイコン２２の指定を受け付ける。このようにして、リモコン受信部１４は本発明に係る受付手段として機能する。
【００３２】
リモコン受信部１４でアイコン２２の指定を受け付けた場合は、画像出力装置１の制御部１１は、ＲＯＭ１３が記憶する制御プログラムに従って、指定されたアイコン２２に関連付けられた情報処理に対応するサブメニュー項目をテレビジョン受像機２の表示画面２１内に表示させる処理を行う。ＲＯＭ１３が記憶する制御プログラムは、各アイコン２２について、アイコン２２に関連付けられた情報処理に対応するサブメニュー項目を表示画面２１内に表示させる表示位置を定めた情報を含んでいる。具体的には、制御プログラムは、アイコン２２，２２，…の両側及び夫々の間にある非表示部分の内、各アイコン２２に隣接する部分を当該アイコン２２に係るサブメニューの表示位置として定めた情報を含んでいる。制御部１１は、テレビジョン受像機２に、制御プログラムが含んだ情報に従った表示画面２１内の表示位置に、指定されたアイコン２２に関連付けられた情報処理に対応するサブメニュー項目を表示させる処理を行う。このようにして、制御部１１は本発明に係るサブメニュー表示手段として機能する。
【００３３】
図３は、テレビジョン受像機２がサブメニュー項目を表示した表示画面例を示す模式図である。図３（ａ）には、ＴＶのアイコン２２が指定された場合の例を示しており、表示画面２１には、サブメニュー項目として、地上デジタル又は衛星放送等の各チャンネルに対応した複数のチャンネル項目２３，２３，…が表示されている。図３（ｂ）には、番組表のアイコン２２が指定された場合の例を示しており、表示画面２１には、各チャンネルで放送中の番組を文字で示した複数の番組項目２４，２４，…からなるＥＰＧの一部が表示されている。図３（ｂ）の場合は、ＥＰＧを構成する各番組項目２４がサブメニュー項目である。使用者がリモコン３を操作して、図３（ａ）の画面上でいずれかのチャンネル項目２３又は図３（ｂ）の画面上でいずれかの番組項目２４が指定されることにより、テレビジョン受像機２が画像を表示すべき番組が決定される。画像出力装置１の制御部１１は、決定した番組の放送信号をチューナ部１７で受信し、受信した番組の画像をテレビジョン受像機２に表示させる。
【００３４】
図３に示す如く、本発明の情報処理装置である画像出力装置１は、サブメニュー項目を表示画面２１に表示させる際に、アイコン２２，２２，…の両側又は間の部分の内で、指定されたアイコン２２の表示位置に隣接する部分に、アイコン２２，２２，…に重畳しないようにサブメニュー項目を表示させる。メニュー項目である複数のアイコン２２，２２，…とチャンネル項目２３又は番組項目２４等のサブメニュー項目とが同時に表示画面２１内に表示されるので、使用者はメニュー項目及びサブメニュー項目を同時に確認することができる。更に指定されたアイコン２２に関連付けられた情報処理に対応するサブメニュー項目が、指定されたアイコン２２に隣接する位置に表示されるので、使用者は、選択すべきサブメニュー項目がいずれのメニュー項目に関係しているかを明瞭に認識することができる。
【００３５】
また画像出力装置１は、アイコン２２が指定されていない状態では、図２に示す如く、アイコン２２，２２，…を略均等に並べて表示画面２１内に表示させる。他方、一のアイコン２２が指定された状態では、画像出力装置１は、図３に示す如く、アイコン２２，２２，…が並んだ方向でアイコン２２，２２，…の両側及び夫々の間にある非表示部分の内、サブメニュー項目が表示される部分のアイコン２２，２２，…が並んだ方向への長さが長くなって他の部分の長さが短くなるように、アイコン２２，２２，…の表示位置を変更する。これによって、チャンネル項目２３又は番組項目２４等のサブメニュー項目を表示するための領域が表示画面２１内に確保され、メニュー項目であるアイコン２２，２２，…とサブメニュー項目との関係が明瞭になるようにメニュー項目とサブメニュー項目とを同時に表示することが可能となる。
【００３６】
また画像出力装置１は、複数のサブメニュー項目を表示画面２１に表示する際に、図３に示す如く、アイコン２２，２２，…が並ぶ直線の方向とは交差する方向にチャンネル項目２３又は番組項目２４等の複数のサブメニュー項目を並べて表示する。メニュー項目の並ぶ方向とサブメニュー項目の並ぶ方向が互いに交差することにより、使用者は、表示画面２１に表示されるメニュー項目とサブメニュー項目とを見た目で直感的に互いに区別して認識することが可能となる。
【００３７】
図２に示すメニュー画面で、ＨＤＤ１９で記録してある画像を再生する処理に関連付けたビデオのアイコン２２が指定された場合、画像出力装置１の制御部１１は、再生すべき画像を選択するためのサブメニュー項目をテレビジョン受像機２の表示画面２１内に表示させる。図４は、再生すべき画像を選択するためのサブメニュー項目をテレビジョン受像機２が表示した表示画面例を示す模式図である。制御部１１は、サブメニュー項目として、ＨＤＤ１９で記録してある画像のサムネイル２５をテレビジョン受像機２に表示させる。図４（ａ）には、複数のサムネイル２５，２５，…を、アイコン２２，２２，…が並ぶ直線の方向とは交差する方向に並べた表示例を示し、図４（ｂ）には、複数のサムネイル２５，２５，…を互いの一部を重ねた上で並べた表示例を示す。サブメニュー項目として画像のサムネイルを表示することにより、使用者は、画像出力装置１が出力可能な画像を容易に確認して出力すべき画像を選択することができる。また図４（ｂ）に示す如く、複数のサムネイル２５，２５，…を対外の一部を重ねた上で並べて表示することにより、ＨＤＤ１９が多くの画像を記録している場合でも、使用者は多くの画像を容易に確認することができる。
【００３８】
図５は、テレビジョン受像機２が表示する複数のサムネイル２５，２５，…から一のサムネイル２５を選択する選択画面の例を示す模式図である。画像出力装置１の制御部１１は、テレビジョン受像機２の表示画面２１に表示させた複数のサムネイル２５，２５，…の内、アイコン２２，２２，…が並ぶ直線上に位置する一のサムネイル２５を、図５（ａ）に示す如く、周りよりも輝度が高い枠で囲む等の方法により強調して表示させる。リモコン３が備える上下のカーソルキーを使用者が押下する等、使用者がリモコン３を操作することにより、画像出力装置１はサムネイル２５，２５，…の表示を切り替える指示をリモコン受信部１４で受け付け、表示画面２１内でアイコン２２，２２，…が並ぶ直線とは交差する方向にサムネイル２５，２５，…をスクロールさせる。図５（ｂ）には、図５（ａ）に示す選択画面でサムネイル２５，２５，…をスクロールさせた状態を示す。サムネイル２５，２５，…がスクロールした状態では、図５（ｂ）に示す如く、スクロールする以前とは別のサムネイル２５がアイコン２２，２２，…が並ぶ直線上に位置して強調される。
【００３９】
リモコン３が備える決定キーを使用者が押下する等、使用者がリモコン３を操作することにより、再生すべき画像のサムネイル２５が表示画面２１内で強調されている状態でサブメニュー項目であるサムネイル２５が指定される。画像出力装置１はサムネイル２５の指定をリモコン受信部１４で受け付け、制御部１１は、指定されたサムネイル２５に係る画像をＨＤＤ１９から読み出してテレビジョン受像機２に表示させる処理を実行する。このように、アイコン２２，２２，…が並ぶ直線上に位置したサムネイル２５を強調しながらサムネイル２５，２５，…をスクロールさせることにより、使用者は、選択すべく強調されたサムネイル２５の表示位置が変化せずに見やすい状態で複数サムネイル２５，２５，…の中から一のサムネイル２５を選択することができる。
【００４０】
図２に示すメニュー画面で、光ディスクに記録された画像をドライブ部１８を用いて再生する処理に関連付けた光ディスクのアイコン２２が指定された場合は、図４及び図５に示したビデオのアイコン２２の場合と同様に、画像出力装置１の制御部１１は、サブメニュー項目として、光ディスクからドライブ部１８で読み出した画像のサムネイルをテレビジョン受像機２に表示させる。使用者がリモコン３を操作することにより、一のサムネイルが指定され、画像出力装置１は、指定されたサムネイルに係る画像を光ディスクからドライブ部１８で読み出してテレビジョン受像機２に表示させる。
【００４１】
以上詳述した如く、本発明の情報処理装置である画像出力装置１は、メニュー項目であるアイコン２２，２２，…を直線状に間隔を隔てて表示し、一のアイコン２２が指定された場合は、指定されたアイコン２２に隣接する位置に、アイコン２２，２２，…とは交差するように複数のサブメニュー項目を表示する。これにより、メニュー項目とサブメニュー項目との関係が使用者にとって明瞭になるようにメニュー項目とサブメニュー項目とを同時に表示することが可能となる。
【００４２】
なお、以上に説明した処理では、最初に図２に示したアイコン２２，２２，…からなるメニュー画面を表示画面２１に表示し、一のアイコン２２が指定された場合に図３及び図４等のサブメニュー項目を含む画面を表示する処理を行うとしたが、これに限る物ではない。本発明では、図２に示すアイコン２２，２２，…のみからなるメニュー画面を表示画面２１に表示することなく、図３及び図４等のサブメニュー項目を含む画面を最初から表示画面２１に表示する処理を行ってもよい。また以上に説明した処理では、複数のサブメニュー項目をアイコン２２，２２，…とは交差する方向に並べて表示画面２１に表示する例を示したが、本発明では、アイコン２２，２２，…が並んだ方向と同じ方向に複数のサブメニュー項目を並べて表示する処理を行ってもよい。
【００４３】
また以上に説明した処理では、サブメニュー項目として、チャンネル項目２３、番組項目２４又はサムネイル２５を表示画面２１に表示する例を示したが、本発明では、その他の形態のサブメニュー項目を表示する処理を行ってもよい。例えば、本発明では、放送された番組を録画する時刻を設定するための設定画面等、数値の入力を受け付ける入力画面をサブメニュー項目として表示する処理を行ってもよい。
【００４４】
なお本実施の形態においては、本発明の情報処理装置である画像出力装置１は、リモコン３及びリモコン受信部１４を用いて使用者からの指示を受け付ける形態を示したが、これに限るものではなく、使用者からの指示を受け付けるタッチパネル等の操作部を画像出力装置１の本体に備える形態であってもよい。また本実施の形態においては、本発明の情報処理装置である画像出力装置１は、外部のテレビジョン受像機２に画像を表示させる処理を行う形態を示したが、これに限るものではなく、液晶ディスプレイ等の表示画面を画像出力装置１の本体に備え、この表示画面に画像を表示させる処理を行う形態であってもよい。
【００４５】
また本実施の形態においては、本発明の情報処理装置として画像出力装置１の例を示したが、これに限るものではなく、本発明の情報処理装置は、テレビジョン受像機、ＰＣ又は携帯電話機等のその他の装置であってもよい。
【図面の簡単な説明】
【００４６】
【図１】本発明の情報処理装置の一例である画像出力装置の内部構成を示すブロック図である。
【図２】テレビジョン受像機が表示したメニュー画面の例を示す模式図である。
【図３】テレビジョン受像機がサブメニュー項目を表示した表示画面例を示す模式図である。
【図４】再生すべき画像を選択するためのサブメニュー項目をテレビジョン受像機が表示した表示画面例を示す模式図である。
【図５】テレビジョン受像機が表示する複数のサムネイルから一のサムネイルを選択する選択画面の例を示す模式図である。
【符号の説明】
【００４７】
１  画像出力装置（情報処理装置）
１１  制御部
１３  ＲＯＭ
１９  ＨＤＤ（記録手段）
１４  リモコン受信部（受付手段）
２  テレビジョン受像機
２１  表示画面
２２  アイコン（メニュー項目）
２３  チャンネル項目（サブメニュー項目）
２４  番組項目（サブメニュー項目）
２５  サムネイル（サブメニュー項目）
３  リモコン
【図１】
2007094531.tif 000003
【図２】
2007094531.tif 000004
【図３】
2007094531.tif 000005
【図４】
2007094531.tif 000006
【図５】
2007094531.tif 000007